(57)【要約】【課題】防爆エリアにおいて安全に高速周期データを測定できる計測装置を提供する。【解決手段】小型コンピュータ１００は、プロセス信号入力部１、主記憶２、データ変換を行う演算部３、変換したデータを記憶する補助記憶装置４、データを送信する無線ＬＡＮ部５を有し、それらを収納する防爆構造収納箱７から構成される。補助記憶装置４は演算部３で変換されたデータを記憶し、容量が一杯になった場合には、無線ＬＡＮ部５からサーバにデータを送信する。補助記憶装置４は防爆構造外でもよい。防爆構造収納箱７は、電気回路のショート等により、仮に火花が散っても外部に影響を及ぼさないので、防爆エリア内での計測器の設置が可能になる。【選択図】図１
2006065449.tif 000002
【特許請求の範囲】
【請求項１】
防爆エリアのプロセス信号を計測する計測装置であって、センサーから入力したプロセス信号をデータ変換して計測し、計測したデータを補助記憶装置に記憶する小型コンピュータを防爆容器内に設けたことを特徴とする防爆型計測装置。
【請求項２】
請求項１において、前記小型コンピュータを前記プロセス信号の発信点の近傍に配置したことを特徴とする防爆型計測装置。
【請求項３】
請求項１または２において、前記防爆容器内に設けた小型コンピュータに無線ＬＡＮを設け、前記補助記憶装置に代えて防爆エリア外に設けた補助記憶装置と無線で接続することを特徴とする防爆型計測装置。
【請求項４】
請求項１または２において、前記補助記憶装置のデータの容量が一杯になった場合に、無線等の伝送路を通じて、小型コンピュータを管理するサーバにデータを送信する構成とすることを特徴とする防爆型計測装置。
【発明の詳細な説明】
【技術分野】
【０００１】
本発明は、小型コンピュータを用いた計測装置に係り、特に防爆構造のコンピュータに関する。
【背景技術】
【０００２】
発電所や燃料精製工場等、引火性の高い燃料を使用するプラントでは、雰囲気のエリアを特定の管理区域（防爆エリア）として万一の災害の発生に備えている。このような場所に設置する機器は、たとえば特許文献１に記載のように、機器自体が火元とならないよう防爆性の構造としており、そのような機器の設置のみが許可される。
【０００３】
また、従来の防爆エリアにおけるデータ収集には、作業員がオシロスコープや携帯可能計測システム等を用いて行っている（特許文献２）。
【０００４】
【特許文献１】特開２００２−３１９７７０号公報
【特許文献２】特開２００４−１０２８２８号公報
【発明の開示】
【発明が解決しようとする課題】
【０００５】
従来の防爆エリアでのデータ収集は、低速周期の場合にはエリア外に計測器を設置し、プロセス信号ケーブルをセンサーと計測器に敷設していた。しかし、高速周期によるデータ収集の場合は、オシロスコープや携帯可能な計測システムを防爆エリアに持ち込んで計測していた。この防爆エリアは一般に温度や湿度或いは騒音などの点で、人の作業環境として適さない雰囲気であり、好ましくない環境での作業となっていた。
【０００６】
本発明の目的は、上記従来技術の問題点に鑑み、防爆エリアにおいても安全に高速周期データを測定できる計測装置を提供することにある。
【課題を解決するための手段】
【０００７】
上記目的を達成する本発明は、防爆エリアのプロセス信号を計測する計測装置であって、センサーから入力したプロセス信号をデータ変換して計測し、計測したデータを補助記憶装置に記憶する小型コンピュータを防爆容器内に設けたことを特徴とする。
【０００８】
また、前記小型コンピュータは前記プロセス信号の発信点の近傍に配置することを特徴とする。
【０００９】
また、前記防爆容器内に設けた小型コンピュータに無線ＬＡＮを設け、防爆エリア外に設けた補助記憶装置と無線で接続することを特徴とする。
【００１０】
さらに、前記補助記憶装置のデータの容量が一杯になった場合に、無線等の伝送路を通じて、小型コンピュータを管理するサーバにデータを送信することを特徴とする。
【発明の効果】
【００１１】
本発明によれば、高速のデータ収集を行う小型コンピュータが最小限の構成で防爆容器内に配置されるので、小型コンピュータを防爆エリアに配置しても発火の恐れがない。また、小型コンピュータを含む計測装置を小型化することで、センサー近傍への設置が容易になり、煙突やバーナーなど人の容易に近づけない場所からのデータ収集も可能になる。
【発明を実施するための最良の形態】
【００１２】
本発明の防爆型計測器の一実施例を図面を用いて説明する。図１は防爆型計測器である小型コンピュータの構成を示す。小型コンピュータ１００は、プロセス信号を入力するプロセス信号入力部１と、その情報を記憶する主記憶２と、記憶した情報を人が分りやすいデータに変換する演算部３を有する。さらに、データを記憶する補助記憶装置４と、サーバにデータを送信する無線ＬＡＮ部５と、構成機器に電源を供給する為の電源部６と、それらを収納する防爆構造収納箱７から構成される。
【００１３】
プロセス信号を入力するプロセス信号入力部１は、外部入力信号８の種別に応じて、自由に取り替えることができる構造となっている。補助記憶装置４は演算部３で変換されたデータを記憶する。補助記憶装置４には記憶できるデータ量に限界があるので、容量が一杯になった場合には、無線ＬＡＮ部５からサーバにデータを送信する。
【００１４】
これらの機器は防爆構造収納箱７に収納される。防爆構造収納箱７は、電気回路のショート等により、仮に火花が散っても外部に影響を及ぼさない構造となっている。これにより、防爆エリア内での計測器の設置が可能になる。
【００１５】
図２は小型コンピュータである防爆型計測器の外観図を示す。プロセス信号入出力ボード１１と、演算部と主記憶と無線ＬＡＮを構成するＣＰＵボード１２と、補助記憶装置４と、電源部６が防爆構造収納箱７に配置される。プロセス信号入出力ボード１１は、外部入力信号８を容易に取り込むため防爆構造収納箱７の側面に配置する。
【００１６】
図３は防爆構造の別の実施例で、補助記憶装置を別置する場合の構成である。（ａ）はプロセス信号入出力ボード１１と、ＣＰＵボード１２と、電源部６’が１つの防爆構造収納箱１４に配置される。（ｂ）は補助記憶装置４と、無線部１３と、電源部６”が別の収納箱１５に配置される。
【００１７】
防爆構造収納箱１４は、背面に凹凸の無い軽量ケースであり、鉄筋への取付や壁・天井にも取り付け可能で、防爆エリアへ設置される。これによれば、防爆構造収納箱１４には、計測器として必要最小限の機器のみを配置し、より小型化を図っている。
【００１８】
収納箱１５は、ＣＰＵボード１２から無線で送信したデータを無線部１３で受信し、補助記憶装置４に記憶する。補助記憶装置４は、防爆エリア外に設置できるので、データが一杯になった場合の交換も容易である。また、これにより防爆型計測装置の小型化が図れる。
【００１９】
図４は本発明の防爆型計測装置の適用例を示す。発電所の防爆エリア１８には原油タンク２０と、それに接続されている配管２１と、そこに設置されたセンサー２２と、そのセンサーから送られてくる信号を計器に表示する為の指示計２３が配置されている。そのセンサー２２と、ケーブル２４を介して防爆型の小型コンピュータ１００が接続される。
【００２０】
配管２１を流れる流体はセンサー２２で検出され、防爆型の小型コンピュータ１００に信号が送られる。小型コンピュータ１００に取り込まれると、センサー２２からの信号を高速に演算処理することで、高速周期のデータ収録ができるとともに、補助記憶装置４に記憶する。
【００２１】
防爆エリア１８の外に設置する計測器２７は防爆構造でなくてよい。しかし、防爆エリア１８内に設置される小型コンピュータ１００は、防爆構造であることが必須である。
【００２２】
また、センサー２２の近傍に防爆型の小型コンピュータ１００を設置することで、ケーブ２４を短くすることができる。このように、ケーブル長を短くすることで使用する電圧を低くし、センサーを含む計測器を小型にすることができる。また、付属装置（入力部・電源部）やケーブルを最小限の構成にできるので、防爆構成が容易になる。
【００２３】
図５は無線ＬＡＮを利用した計測システムの一例を示す。防爆エリア３１に複数の防爆型の小型コンピュータ１００−１〜１００−ｎが設置されている。各小型コンピュータ１００で収集したプロセス信号３５のデータを、無線３６を介してサーバ３３に送信している。サーバ３３に集められたデータはユーザ及びメーカが利用することができ、さらに伝送路等を介してパーソナルコンピュータ３４でも参照することができる。
【００２４】
これらのデータは、防爆エリア内のプロセス信号を高速で収集したデータである。ユーザやメーカはこのデータを解析することにより、機器の故障予測やプラント状態の挙動を詳細に調べることができる。さらに、本実施例により、データを長期間にわたって収録できる。
【図面の簡単な説明】
【００２５】
【図１】防爆型計測装置の一実施例による構成図。
【図２】防爆型計測装置の外観図。
【図３】別の実施例による防爆型計測装置の外観図。
【図４】防爆型計測装置の適用例を示す構成図。
【図５】防爆型計測装置のサーバへのデータ伝送を示す構成図。
【符号の説明】
【００２６】
１…プロセス信号入力部、２…主記憶、３…演算部、４…補助記憶装置、５…無線ＬＡＮ部、６，６’，６”…電源部、７…防爆構造収納箱、８…外部入力信号、９…電源信号、１１…プロセス信号入出力ボード、１２…ＣＰＵボード、１３…無線部、１４…防爆構造収納箱、１５…収納箱、１８…防爆エリア、２０…原油タンク、２１…配管、２２…センサー、２３…指示計、２４…ケーブル、２７…計測器、３１…防爆エリア、３３…サーバ、３４…パーソナルコンピュータ、３５…プロセス信号、３６…無線、１００…小型コンピュータ。
【図１】
2006065449.tif 000003
【図２】
2006065449.tif 000004
【図３】
2006065449.tif 000005
【図４】
2006065449.tif 000006
【図５】
2006065449.tif 000007